(57)【特許請求の範囲】
【請求項１】
アイテムに組み込まれるセキュリティ要素（２０）であって、
−  ボリュームホログラムを生成するためのホログラフィック層（２１）であって、前記ボリュームホログラムは、感応性の層の厚み内に記録された、干渉縞平面のネットワーク又は干渉ネットワークを形成することによる光の反射又は透過によって生成されるホログラムである、前記ホログラフィック層（２１）と、
−  ａ）一方で、１つ又は複数の切抜き及び／又は少なくとも部分的に半透明の領域（２５ｂ）並びに他方で、１つ又は複数の少なくとも部分的に不透明の領域（２５ａ）、及び／又は
ｂ）配向されたプレートレット顔料（６０）、
の存在により生成される非ホログラフィック可変不透明度構造（２５）と
を備えており、前記非ホログラフィック可変不透明度構造（２５）は、透過光にて観察可能な前記セキュリティ要素の領域にて、前記ホログラムに少なくとも部分的に重畳されている、前記セキュリティ要素（２０）。
【請求項２】
前記ホログラムは、無地の色により記録されており、又は、前記ホログラムは、少なくとも２つの色により記録される、請求項１に記載の要素。
【請求項３】
前記非ホログラフィック可変不透明度構造（２５）は、金属化物を備えている、請求項１又は２に記載の要素。
【請求項４】
前記非ホログラフィック可変不透明度構造（２５）は、印刷物を備えている、請求項１〜３のいずれか一項に記載の要素。
【請求項５】
前記非ホログラフィック可変不透明度構造（２５）は、少なくとも部分的に不透明の層において作られた切抜きを備えている、請求項１〜４のいずれか一項に記載の要素。
【請求項６】
前記ホログラムは、０．７よりも低い光学密度に対応する昼光における半透明性を持つ１つ又は複数の層を通して直接又は間接的に、前記要素の一方側又は他方側にて少なくとも部分的に可視である、請求項１〜５のいずれか一項に記載の要素。
【請求項７】
前記ホログラム及び／又は前記非ホログラフィック可変不透明度構造（２５）に少なくとも部分的に重畳された、０．７よりも低い光学密度に対応する昼光における半透明性を持つ着色層（２３）を備えている、請求項１〜６のいずれか一項に記載の要素。
【請求項８】
前記着色層は、印刷により着色され、及び／又は全体的に着色されている、請求項７に記載の要素。
【請求項９】
少なくとも部分的に第１のホログラム（２１ｃ）に重畳された第２のボリュームホログラムを生成するための第２のホログラフィック層（２１ｄ）を備えており、前記第２のボリュームホログラムは、前記非ホログラフィック可変不透明度構造（２５）の、０．７よりも低い光学密度に対応する昼光における半透明性を持つ少なくとも１つの領域に重畳されている、請求項１〜８のいずれか一項に記載の要素。
【請求項１０】
異なる第１及び第２のホログラムを備えている、請求項１〜９のいずれか一項に記載の要素。
【請求項１１】
前記可変不透明度構造は、観察角度に応じた不透明度を提示する、配向されたプレートレット顔料（６０）を備えている、請求項１〜１０のいずれか一項に記載の要素。
【請求項１２】
接着剤の層を備えている、請求項１〜１１のいずれか一項に記載の要素。
【請求項１３】
バッキング層（２２）又は繊維質材料製の層を備えている、請求項１〜１２のいずれか一項に記載の要素。
【請求項１４】
前記ホログラムは、異なる色の２つの並置領域（２１ａ，２１ｂ）を備えており、及び、前記要素は、ホログラムの着色領域に重畳された、異なる色の２つの並置着色領域（２８ａ，２８ｂ）を備えている、請求項１〜１３のいずれか一項に記載の要素。
【請求項１５】
前記ホログラフィック層及び前記可変不透明度構造に少なくとも部分的に重畳された半反射フィルム（４０）を備えている、請求項１〜１４のいずれか一項に記載の要素。
【請求項１６】
前記ホログラムは、反射型で記録されている、請求項１〜１５のいずれか一項に記載の要素。
【請求項１７】
前記ホログラムは、透過型で記録されている、請求項１〜１５のいずれか一項に記載の要素。
【請求項１８】
セキュアードアイテム（１０）であって、少なくともボリュームホログラム及び前記非ホログラフィック可変不透明度構造（２５）の上記重畳の領域において、透過光及び反射において観察可能である、請求項１〜１７のいずれか一項に記載のセキュリティ要素（２０）を備えている、前記セキュアードアイテム。
【請求項１９】
前記セキュリティ要素は、文書窓（１２）に重畳されている、請求項１８に記載のアイテム。
【請求項２０】
前記窓は透視窓であり、及び、前記セキュリティ要素（２０）は前記窓の一方側に配置されており、シールフィルム（３０）が前記窓の反対側に配置されている、請求項１９に記載のアイテム。
【請求項２１】
前記シールフィルムは、着色されている、請求項２０に記載のアイテム。
【請求項２２】
請求項１８〜２１のいずれか一項に記載のアイテム（１０）を認証する方法であって、反射及び／又は透過において、セキュリティ要素（２０）を観察することを含む方法。
【請求項２３】
観察角度の傾斜が、セキュリティ要素（２０）に対して変更され、前記セキュリティ要素に沿って、パターンの継続する出現が起こった際に、認証に関する情報が引き出される、請求項２２に記載の認証方法。
【請求項２４】
観察者に相対的に前記非ホログラフィック可変不透明度構造（２５）の後ろに位置する前記ホログラムにより観察が行われる、請求項２２又は２３に記載の方法。
【発明の詳細な説明】
【技術分野】
【０００１】
本発明は、セキュリティ要素及び、そのような要素を備えているセキュアードアイテム、特に文書、に関する。
【背景技術】
【０００２】
ホログラムは、文書をセキュアにするために広範囲で用いられている。
【０００３】
米国特許第６８７３４４４号明細書は、LIPPMANN  BRAGGホログラム又はLIPPMANNホログラムとも呼ばれるボリュームホログラムを生成する方法を開示する。
【０００４】
欧州特許出願公開第２４５３３２０号明細書は、ボリュームホログラムを生成する方法を記載し、該ボリュームホログラムでは、ホログラフィック層が、保護フィルムによって表面上で保護されている。上記ホログラフィック層は、接着層によって取り付けられている。
【０００５】
米国特許第４１７１７６６号明細書は、識別カード上に取り付けられたシートにより保持されたホログラムを使用することを開示する。
【０００６】
欧州特許出願公開第０４０３１３４号明細書は、ホログラムと包装上に存在する情報とを重畳することを教示する。
【０００７】
欧州特許第１５１１６３６号明細書は、表面ホログラムとボリュームホログラムとの重畳を開示する。
【０００８】
欧州特許第２３６２２７５号明細書は、紙幣の窓（window）の前に配置されたボリュームホログラムを開示する。
【０００９】
欧州特許出願公開第２５３０５３３号明細書は、ホログラフィック層を備えているセキュリティ要素を記載し、該ホログラフィック層では、ボリュームホログラムが記録され、接着剤を用いて基体上に取り付けられている。着色層が、上記ホログラフィック層を覆いうる。該着色層は、印刷により堆積されうる。１つの例において、乾燥後の厚さ０．５μｍの青インクの非不透明層が堆積される。
【００１０】
米国特許出願公開第２０１２／０２５７２６６号明細書は、それぞれがボリュームホログラムを再現する２つのホログラフィック層を共に取り付けることを教示する。
【００１１】
米国特許出願公開第２０１３／０００３１５３号明細書は、ホログラフィック層内に発光性化合物を添加することを記載する。
【００１２】
米国特許出願公開第２０１１／００４９８６４号明細書は、レリーフで印刷された、基体上の情報を覆うボリュームホログラムを記載する。接着剤の層が、印刷物の上記レリーフのために、この印刷物を覆いかつ可変の厚みを有しており、これは、ホログラムが記録された材料内の接着剤の差分化された拡散と、ホログラムの色の局所変化とを伴う。上記接着剤の上記拡散は、制御することが複雑である。
【００１３】
国際公開第２０１２／００７１２０号は、切抜きが形成された表面ホログラムに重畳されたボリュームホログラムを備えているセキュリティ要素を記載する。該セキュリティ要素は、回折ホログラム及びボリュームホログラムの存在のために、可視化することが複雑である。加えて、上記セキュリティ要素は、製造することが複雑であり且つ費用がかかる。上記ボリュームホログラムは、パターンで記録され、従って、該ホログラムを記録するステップは、複雑且つ高コストである。観察角度に依存する視覚効果は、上記表面ホログラムのおかげで得られる。
【００１４】
国際公開第２０１１／１０７５２７号は、コーティングを備えているセキュリティスレッドを開示しており、このコーティング内に、配向された顔料が存在する。このスレッドは任意的に、ホログラフィック層を含みうる。
【００１５】
国際公開第０３／００９５８１号は、表面とボリュームホログラフィック構造との両方を備えているセキュリティ要素を記載する。
【発明の開示】
【発明が解決しようとする課題】
【００１６】
セキュリティ要素及び、そのような要素を組み込んだセキュアードアイテム、特に文書、をさらに改善する必要性がある。
【課題を解決するための手段】
【００１７】
可変不透明度構造の存在に関する本発明の主題は、その観点のうちの最初の態様に従うと、アイテム、特に文書、に組み込まれるセキュリティ要素であって、
−  ボリュームホログラムを生成するためのホログラフィック層と、
−  ａ）１つ又は複数の切抜き及び／又は少なくとも部分的に半透明の領域並びに１つ又は複数の少なくとも部分的に不透明の領域、及び／又は
ｂ）配向されたプレートレット顔料、
の存在により生成される非ホログラフィック可変不透明度構造と
を備えており、該可変不透明度構造は、透過光にて観察可能な上記セキュリティ要素の領域にて、上記ホログラムに少なくとも部分的に重畳されている。
【００１８】
上記ボリュームホログラムの存在は、観察角度に依存する視覚効果を得ることを可能にする。観察の間、上記ボリュームホログラムは好ましくは、観察者に相対的に上記可変不透明度構造の後ろ側に置かれる。好ましくは再び、上記ボリュームホログラムは、反射において可視のホログラムである。
【００１９】
上記ホログラムは、一方で、少なくとも１つの切抜き上及び／又は１つの少なくとも部分的に半透明の領域で、他方で、１つの少なくとも部分的に不透明な領域で、少なくとも部分的に重畳され、及び／又は上記プレートレット顔料で少なくとも部分的に重畳される。本発明のおかげで、上記ホログラムは、上記可変不透明度構造を視覚的に認知すること、及び／又はそれらの外観を修正することに役立てるために用いられうる。
【００２０】
本発明は、普通の人によって容易に識別可能な、セキュリティの第１のレベルを作成することを可能にし、且つ、相対的に低い製造コストにより、新たな審美的及び魅力的な効果からの利益を享受する。
【００２１】
上記ボリュームホログラムは、その性質により、上記可変不透明度構造が、透過光において観察されることを可能にするための十分な透明度を提供する。
【００２２】
上記ホログラムの存在は、上記可変不透明度構造の観察に、色及び／又はアニメーション効果をもたらし、従って、それは、普通の人にそれをさらに目立つようにしうる。
【００２３】
「可変不透明度」とは、構造の平面において及び／又は観察角度に従って、不透明度が変化することを意味すると理解されるべきである。
【００２４】
「少なくとも部分的に不透明」とは、約２０％透過に対応する少なくとも０．７、望ましくは少なくとも１、さらに望ましくは１．５、の光学密度に対応する昼光（daylight）での不透明度を意味すると理解されるべきである。上記可変不透明度構造は、照明された背景、例えば白いシート、の前で観察するために、目に対して完全に不透明な領域を備えうる。
【００２５】
「少なくとも部分的に半透明」とは、約２０％透過に対応する０．７よりも厳密に低い光学密度、望ましくは０．５未満の光学密度、に対応する昼光における半透明性を意味すると理解されるべきである。
【００２６】
「少なくとも部分的に不透明」及び「少なくとも部分的に半透明」の特性間で、少なくとも０．５を超える、より好ましくは少なくとも０．７、の光学密度における差を有することが好まれる。
【００２７】
不透明度における変化は、金属化／脱金属化及び／又は印刷の存在にリンクされうる。この場合、１又は複数の切抜きが、金属化の不在又はインクにより形成されうる。不透明層は、繊維質基体以外であってもよく、非不透明領域は、この基体に配置されたシンプルな窓以外でありうる。
【００２８】
金属化の場合、可変不透明度構造の金属の厚さは好ましくは、少なくとも１．５の光学密度を与えるために十分である。該光学密度は例えば、TOBIAS  ASSOCIATES,  INC、TBX-MC密度計を用いて測定され、該測定は、ＩＳＯ規格５／２に従い行われる。上記金属化は好ましくは、より高い安全性を提供する真空下で行われ、その実施がより複雑な工業的手段を必要とするからである。
【００２９】
印刷の場合、用いられるインクは、好ましくは顔料インクであり、好ましくは非無色の色（すなわち、非黒色及び非白色）であり、及びまた、減少された透明度を達成する為に、好ましくは５μｍを超えるＤ５０の粒子サイズの顔料を有する。該インクは、顔料として金属の粒子を含みうる。
【００３０】
印刷の場合また、上記インクは、磁界の効果下で配向されること、それは観察角度に従ってその不透明度が変化する層を作成することを可能にし、プレートレットの配向方向に平行の方向にて最大を経験し且つ観察方向がプレートレットの面に実質的に垂直である場合に最小を経験することが可能なプレートレット顔料を含みうる。そのような顔料は、欧州特許第１８１９５２５号明細書を通して知られている。
【００３１】
反射プレートレット顔料の場合、これらは、プレートレットの傾斜の方向における観察の場合に透明であるか、又は該プレートレットに垂直な観察の場合に不透明であるか、のいずれかである。
【００３２】
不透明度の変化はパターンに関連付けられてもよく、それは、セキュリティ要素を設けられている文書上のどこか他の場所で再現されうる。例えば、切抜き又は少なくとも部分的に半透明の領域は、文書又はセキュリティ要素のどこか他の場所に存在するパターンを定義する。このパターンは、番号又は文字でありうる。
【００３３】
不透明度の変化は、例えばCLEARTEXT(登録商標)タイプの、ネガのテキストにより得られてもよく、凹部が、非不透明である可変不透明度構造の領域に対応するテキストを定義し、これは、例えばそれらが印刷又は脱金属化されていないからである。
【００３４】
上記セキュリティ要素は、可変色度層を備えうる。
【００３５】
「可変色度」は、要素の平面において及び／又は観察の角度に従って、観察される色が変化することを意味すると理解されるべきである。
【００３６】
例えば、可変色度層は、平面内の異なる色の非不透明領域を並置することにより得られる。これらの領域は、全体的に同じ不透明度を有しうる。この可変色度層は、ホログラフィック層及び可変不透明度構造に少なくとも部分的に重畳されうる。そのような層の存在は、新たな光学効果を作り出す為に使用されうる。
【００３７】
上記可変色度層はさらに、角度彩色（goniochromatic）顔料、例えばにじ色若しくは液晶顔料、によって、又は回折ネットワーク、表面ホログラム若しくはフォトニック構造を介して達成しうる。
【００３８】
上記要素は、バッキング層、特にＰＥＴ製のフィルム、又は繊維質材料製の層を備えうる。
【００３９】
半反射層の存在に関するその観点のうちの他の観点に従うと、独立して、又は上記若しくは下記と組み合わせて、本発明の主題はまた、セキュアードアイテム、特に文書、の為のセキュリティ要素であって、
−  ボリュームホログラムを生成するためのホログラフィック層と、
−  上記ホログラフィック層に及び好ましくはまた可変不透明度構造に、少なくとも部分的に重畳された半反射層と
を備えており、該ホログラフィック層は、上記半反射層と上記可変不透明度構造との間に好ましくは位置している。有利的には、透過光における可視性を維持しつつ、上記層の反射外観のため、上記半反射層がボリュームホログラムを拡張する為に使用される。加えて、この半反射層は、後者が「窓スレッド」に導入される際に、上記セキュリティ要素をマスクする役割を果たすことも可能であり、それは、着色層が上記セキュリティ要素に重畳される際に特に有用である。最後に、透視窓に配置されたセキュリティ要素の場合、上記半反射層は、上記層が配置される面での反射において上記セキュリティ要素をマスクする。
【００４０】
拡散構造の存在に関するその観点のうちの他の観点に従うと、独立して、又は上記若しくは下記と組み合わせて、本発明の主題はまた、セキュアードアイテム、特に文書、の為のセキュリティ要素であって、
−  ボリュームホログラムを生成するためのホログラフィック層と、
−  ホログラフィック、特にマイクロエンボス加工された層、に少なくとも部分的に重畳された拡散構造と
を備えており、該ホログラフィック層は好ましくは、上記拡散構造と、上記ホログラフィック層及び上記拡散構造に少なくとも部分的に重畳された可変不透明度構造との間に位置している。
【００４１】
そのようなセキュリティ要素は、後に詳述される利点を提示する。
【００４２】
発光剤の存在に関するその観点のうちの他の観点に従うと、独立して、又は上記若しくは下記と組み合わせて、本発明の主題はまた、セキュアードアイテム、特に文書、の為のセキュリティ要素であって、
−  ボリュームホログラムを生成するためのホログラフィック層と、
−  上記ホログラフィック層に少なくとも部分的に重畳された発光剤を含む層、望ましくは上記ホログラフィック層にそれぞれ少なくとも部分的に重畳された、及び好ましくはそれらの間に少なくとも部分的に重畳された第１及び第２の発光層、と
を備えており、該発光層は好ましくは、異なる発光の色を有する。
【００４３】
そのようなセキュリティ要素は、発光を生じさせる照明下で、新たな光学的効果を得るために用いられることができる。
【００４４】
２つのホログラフィック層の存在に関するその観点のうちの他の観点に従うと、独立して、又は上記若しくは下記と組み合わせて、本発明の主題はまた、セキュアードアイテム、特に文書、の為のセキュリティ要素であって、
−  透過型で記録された第１のボリュームホログラムを生成するための第１のホログラフィック層と、
−  上記第１のホログラフィック層に少なくとも部分的に重畳された、反射型で記録された第２のボリュームホログラムを生成するための第２のホログラフィック層と
を備えている。
【００４５】
そのようなセキュリティ要素は、上記２つのボリュームホログラムに少なくとも部分的に重畳された第１の可変不透明度構造と、及び好ましくは、上記２つのボリュームホログラムにまた重畳された第２の可変不透明度構造とを備えていてもよく、１又は複数の該可変不透明度構造は、上記ホログラフィック層に外的に配置されており、２つのホログラフィック層を備えている構造の場合、従って上記可変不透明度構造は、上記セキュリティ要素の反対側にそれぞれ位置しうる。
【００４６】
有利には、次に、上記セキュリティ要素は、窓によって横断される繊維質基体の各側にそれぞれ配置された２つの部分において生成される。各部分は、ホログラフィック層と、関連付けられた可変不透明度構造とのうちの１つを備えている。
【００４７】
そのようなセキュリティ要素は、新たな光学的効果及び追加のセキュリティをもたらす。
【００４８】
可変色度層の存在に関するその観点のうちの他の観点に従うと、独立して、又は上記若しくは下記と組み合わせて、本発明の主題はまた、セキュアードアイテム、特に文書、の為のセキュリティ要素であって、
−  ボリュームホログラムを生成するためのホログラフィック層と、
−  上記ホログラフィック層に重畳された、異なる色の複数の着色領域を備えている可変色度層と、これらの着色領域の少なくとも１つ、及び好ましくはこれらの着色領域全てが透明であり、及び
−  好ましくは、上記ホログラフィック層と上記着色領域とに少なくとも部分的に重畳された可変不透明度構造と
を備えている。
【００４９】
上記ホログラフィック層は、様々なやり方で上記可変色度層の着色領域と組み合わされる、異なる無地の色（solid  colors）から構成される少なくとも２つのホログラムを再現するために記録されうる。
【００５０】
ボリュームホログラム
【００５１】
本発明の全ての観点において、「ボリュームホログラム」は、感応性、好ましくは光感応性の層の厚み内に記録された、干渉縞平面のネットワーク又は干渉ネットワーク（Braggネットワーク）を形成することによる光の反射又は透過によって生成されるホログラムを意味すると理解されるべきである。
【００５２】
上記ホログラフィック層は、エンボス加工により作られた表面ホログラムとは異なり、平滑な外部構造を呈しうる。
【００５３】
ボリュームホログラムの態様の一例が、米国特許第５３１９４７６号明細書、第２カラム、第１８〜４４行目に、及び米国特許出願公開第２０１３／０００３１５３号明細書、［００１７］〜［００２２］において与えられている。
【００５４】
上記ホログラフィック層は、厚さ６〜１２μｍの好ましくはＰＥＴ製の保持フィルム（それはまた、必要な場合、保護層の役割を果たしうる）に堆積された、厚さ６〜１５μｍ、望ましくは８〜１０μｍの感光性樹脂の層を有して製造された複合体から構成されうる。
【００５５】
上記ホログラフィック層は、また、欧州特許出願第２５３０５３３号明細書に記載されているように、感光性樹脂及びフィルム保持体の層、並びにこれら２つの間の接着剤の層を備えているホログラフィック複合体から構成されうる。上記感光性樹脂の層は例えば、段落［００４１］〜［００５０］又は［００５１］〜［００５８］に記載されている。
【００５６】
上記ホログラムは、非コヒーレントな白光で再現されうる。
【００５７】
上記ホログラムは、無地の色、すなわち無パターン、例えば赤、緑、青、黄、シアン、マゼンタだけで、又は観察の角度が変わった際に、例えば１つの無地の色から他の色へと変化するアニメーションで再現されうる。例えば、パターン無しの無地の色を再現する上記ホログラムを、光感応性層の厚み内に記録された、干渉縞平面のネットワーク又は干渉ネットワークを形成することによる、実質的に均一な表面を有する平らな物体からの光の反射又は透過によって得られうる。無地の色のみを再現するようなそのようなやり方で上記ホログラムを作成することは、製造することを比較的安価にする。
【００５８】
上記可変不透明度構造が、配向されたプレートレット顔料を備えている場合に、記録された画像を現すホログラムの観察方向が、上記プレートレット顔料の配向の方向と一致することは、特に有利な場合がある。偽造することが特に困難であるセキュリティが得られる。
【００５９】
反射で記録されるボリュームホログラムの場合、観察者は、非コヒーレントな白光源の後ろで透過光においてセキュリティ要素を見る際、上記ホログラムを知覚することなしに、上記可変不透明度構造を知覚する可能性がある。上記観察者が、反射において上記セキュリティ要素を見る際、少なくとも１つの観察方向について、上記ホログラムにより照明された上記可変不透明度構造を見ることができる。
【００６０】
透過型で記録されるボリュームホログラムの場合に、上記観察者は、反射において、上記可変不透明度構造のみを観察により知覚しうる。上記ホログラムにより生成される色は、上記ホログラムが透過光にて観察される際に現れ、この場合、上記可変不透明度構造は、上記ホログラムで可視である。
【００６１】
上記ホログラムは、単一の記録パターンのみから構成されていてもよく、それは無地の色でありうる。変形例として、上記ホログラムは、複数の記録パターンを備えていてもよく、そのそれぞれは無地の色でありうる。この場合、複数のパターンは、上記可変不透明度構造の異なるパターンの後ろでそれぞれ現れるように配置されてもよく、例えば、後者は、ネガ書き込みのテキストを備えており、及びこのテキストの異なる文字が、上記ボリュームホログラムと異なる無地の色の存在のため、異なる色で現れる。
【００６２】
上記ボリュームホログラムはまた、異なるパターン、例えば異なる無地の色を備えていてもよく、それは、文書の同じ窓に現れるように配置される。
【００６３】
上記ボリュームホログラムはさらに、それぞれの異なる観察角度で現れるように記録されるパターンを有するように作成されうる。これは例えば、それぞれの異なる観察角度で可視になる、複数の無地の色を伴いうる。これらのソリッド領域は、上記可変不透明度構造、例えばネガ書き込みの異なる文字の異なるパターンに重畳されうる。この場合、上記セキュリティ要素が、パターンを現すために観察者に相対的に斬新的に傾斜される際、それらは、観察角度の増加に従って継続的に可視になりうる。
【００６４】
上記ホログラフィック層は、無地の色により記録され、かつ上記可変不透明度層の介在を有する着色層に重畳されてもよく、従って、このホログラフィック層は、異なる色の少なくとも２つの領域を有して現れ、これは、異なる色の領域が着色層と重畳されること、及び上記可変不透明度構造の存在のためである。異なる色で現れる領域は、上記ホログラフィック層の平面に並置されうる。
【００６５】
上記ホログラフィック層は、異なる観察角度で色が現れる領域により記録されうる。
【００６６】
変形例として、色及びこれらの色が現れる角度は、両方とも別個である。
【００６７】
セキュリティ要素
【００６８】
本発明の全ての観点において、上記セキュリティ要素は、その製造中に繊維状の基体に組み込まれる要素又はその表面に加えられる要素の形態でありうる。上記セキュリティ要素は、例えば、パッチ、セキュリティスレッド若しくはフォイル、又は可変データを有する保護フィルムの形態を取る。
【００６９】
上記セキュリティ要素は、その２つの対向面で、外部環境に暴露出されていてもよく、又は対向面の１つのみでそのようにされていてもよく、又は、１つ又は複数の非不透明層により、その両面にて覆われうる。上記セキュリティ要素は、アイテム、特に文書、へのその組み込み時に、単体としても、又は、アイテム、特に文書、を介して、例えば基体の異なる面に加えられて結合された、幾つかのサブ要素から構成されうる。
【００７０】
これらのサブ要素は、互いに接触していてもしていなくてもよい。一方が上記ホログラムを保持し、他方が上記可変不透明度構造を保持しうる。文書窓の各側で、一方を上記基体の１つの面に、他方を反対の面に取り付けうる。
【００７１】
上記セキュリティ要素の厚さは、５０μｍ以下であり得、例えば３０〜４０μｍであり得る。
【００７２】
上記セキュリティ要素は、上記ホログラフィック層及び上記可変不透明度構造に少なくとも部分的に重畳された半反射層を備えうる。これは、半反射性となるために十分に緻密な厚さの金属層、又は印刷若しくは金属化されたラスターでありうる。
【００７３】
上記セキュリティ要素は、上記ホログラフィック層及び上記可変不透明度構造に少なくとも部分的に重畳された拡散構造を備えうる。
【００７４】
それは、マイクロエンボス層、特に、マイクロエンボス接着剤の層、でありうる。
【００７５】
本発明の実施の一例において、上記要素は、上記ホログラム及び／又は上記可変不透明度構造に少なくとも部分的に重畳された非不透明着色層、特に均一色又は特に並置領域の形態の複数の無地の色を呈する着色層、を備えている。上記着色層は、印刷により、及び／又は全体的に、特に１又は複数の染料又は１又は複数の着色顔料を添加することにより着色されうる。
【００７６】
本発明の実施の一例において、上記要素は、少なくとも部分的に上記第１のホログラムに重畳された第２のボリュームホログラムを生成するための第２のホログラフィック層を備えており、該第２のホログラムは、上記可変不透明度構造の少なくとも１つの非不透明領域に重畳されており、上記２つのホログラムのうちの一方、好ましくは観察者に最も近い１つは好ましくは、透過型で記録されたホログラムであり、且つ他方は、反射型で記録されたホログラムであり、上記２つのホログラムは好ましくは、透過光にて観察が行われうる窓を備えている基体の各側に配置されている。
【００７７】
本発明の実施の一例において、上記セキュリティ要素は、特に異なる色及び／又はパターンを有する、特にホログラフィック層に、又は第１及び第２のホログラフィック層にそれぞれ記録された、異なる第１及び第２のホログラムを備えており、該第１及び第２のホログラムは、好ましくは上記可変不透明度構造により定義された異なるパターン、例えばネガ書き込みでのテキストの異なる英数字に、それぞれ重畳されているか、又は基体の異なる複数の窓に現れるように意図される。
【００７８】
本発明の実施の一例において、上記ホログラムは、異なる色の２つの並置領域を備えており、及び、上記セキュリティ要素は、特にホログラムの着色領域のそれぞれの着色領域との重畳により、上記ホログラムの着色領域に重畳された、異なる色の２つの並置着色領域を備えている。
【００７９】
セキュアードアイテム、特に文書
【００８０】
本発明の主題はまた、セキュアードアイテム、特に文書、であって、その観点のうちのいずれか１つの観点に従うと、上記ボリュームホログラムと、上記可変不透明度構造、上記拡散構造の上記半反射層、上記可変色度層、及び／又は上記ボリュームホログラムを生成する他のホログラフィック層との少なくとも上記重畳の領域において、透過光において観察可能である、本発明に従うセキュリティ要素を備えている。
【００８１】
上記セキュリティ要素は、文書窓、特に透視窓、に重畳されうる。
【００８２】
上記窓は透視窓であってもよく、及び上記セキュリティ要素は上記窓の一方の側に配置されており、上記シールフィルムは窓の他方の側に配置されている。
【００８３】
代替的に、上記可変不透明度構造は、上記文書の一方の側に配置されていてもよく、及び上記ボリュームホログラムは反対側に配置されており、上記構造及びホログラムは上記透視窓に少なくとも部分的に重畳されている。
【００８４】
上記シールフィルムは、着色されていてもよく、特に全体的に若しくは印刷により着色されていてもよく、又は２未満、好ましくは１未満、の光学密度により金属化されうる。
【００８５】
好ましくは、上記セキュリティ要素が、上記窓の一方側に配置されようと、又は上記可変不透明度構造が文書の一方側に配置されて且つ上記ボリュームホログラムが他方側に配置されようと、上記セキュリティ要素はさらに、上記可変不透明度構造の反対側の上記ホログラムの側に半反射層を設けうる。上記半反射特性は、それが非不透明である故に、透過光内で上記可変不透明度構造のパターンを観察することを可能にする。
【００８６】
上記アイテムは、パスポート、識別カード、アクセスカード、運転免許証、プレイング又はインタラクティブ収集カード、支払いの手段、特にペイメントカード、紙幣、納税印紙、ライセンスタグ、バウチャー若しくはクーポン、旅行、ロイヤルティ、利益若しくは購読のカード、トークン若しくはカジノチップでありうる。
【００８７】
認証の方法
【００８８】
本発明の主題はまた、本発明に従うセキュアにされたアイテム、特に文書、を認証する方法であって、透過及び／又は反射において上記セキュリティ要素を観察することを含む。透過において、例えば脱金属化により形成されたパターンが観察され、上記ホログラムが反射型で記録されている場合に、反射において、このパターンが、下に配置された上記ボリュームホログラムを通して現れる。暗い背景の前に、上記セキュリティ要素を配置することは必要でない。
【００８９】
観察は、例えばセキュリティ要素を通した光源を見ることにより、可視光、特に白、において行われうる。この観察は、例えば、上記可変不透明度構造、例えばテキスト又はパターン、により伝達される情報を認識する為に使用されることができる。この場合、上記ホログラムは、それが反射型で記録されている場合に、該ホログラムは可視でない。
【００９０】
特にセキュリティ要素が直接的に観察可能な外面を呈する場合に、反射での上記セキュリティ要素がまた観察されうる。反射でのこの観察は、上記ホログラムが反射型で記録されている場合に、該ホログラムにより生成される少なくとも１つの色を見ることを可能にする。
【００９１】
透過型で記録されたホログラムの場合、上記ホログラムは、透過光において現れる。
【００９２】
上記セキュリティ要素は、反射型で記録されたホログラムと、透過型で記録されたホログラムとの両方を備えていてもよく、上記ホログラフィック層は、重畳されているこれらのホログラムを生成する。
【００９３】
この場合、上記認証方法は、有利には、透過における観察と、反射における観察とを含む。
【００９４】
一般に、観察はさらに、上記ホログラムがＵＶ又はＩＲ照明下の可視領域における光を再現する場合に、ＵＶ又はＩＲ光において行われうる。この場合、上記セキュリティ要素は、有利には、観察中にまた現れる発光剤、例えば蛍光剤、を備えており、及びその色効果は、上記ホログラムの色効果と組み合わされうる。
【００９５】
本発明の実施の一例において、観察角度の傾斜が、上記セキュリティ要素に相対的に変更され、上記セキュリティ要素に沿って、特に脱金属化により形成された、パターンの継続する出現が起こった際に、認証に関する情報がソートされる。観察が、観察者に相対的に上記可変不透明度構造の後ろに位置するホログラムにより行われうる。
【００９６】
本発明は、それらの実施の非制限的な実施例の以下の詳細な説明を読むこと、及び添付の図面を調査することで、より良く理解されうる。
【図面の簡単な説明】
【００９７】
【図１】本発明に従いセキュアにされたアイテムの例を模式的に表す図である。
【図２】図１のＩＩ−ＩＩに沿った断面図である。
【図３】本発明に従うセキュアードアイテム又はセキュリティ要素の他の例を表す図である。
【図４】本発明に従うセキュアードアイテム又はセキュリティ要素の他の例を表す図である。
【図５】本発明に従うセキュアードアイテム又はセキュリティ要素の他の例を表す図である。
【図６】本発明に従うセキュアードアイテム又はセキュリティ要素の他の例を表す図である。
【図７】本発明に従うセキュアードアイテム又はセキュリティ要素の他の例を表す図である。
【図８】本発明に従うセキュアードアイテム又はセキュリティ要素の他の例を表す図である。
【図９】本発明に従うセキュアードアイテム又はセキュリティ要素の他の例を表す図である。
【図１０】本発明に従うセキュアードアイテム又はセキュリティ要素の他の例を表す図である。
【図１１】本発明に従うセキュアードアイテム又はセキュリティ要素の他の例を表す図である。
【図１２】本発明に従うセキュアードアイテム又はセキュリティ要素の他の例を表す図である。
【図１３】本発明に従うセキュアードアイテム又はセキュリティ要素の他の例を表す図である。
【図１４】本発明に従うセキュアードアイテム又はセキュリティ要素の他の例を表す図である。
【図１５】本発明に従うセキュアードアイテム又はセキュリティ要素の他の例を表す図である。
【図１６】本発明に従うセキュアードアイテム又はセキュリティ要素の他の例を表す図である。
【図１７】本発明に従うセキュアードアイテム又はセキュリティ要素の他の例を表す図である。
【図１８】本発明に従うセキュアードアイテム又はセキュリティ要素の他の例を表す図である。
【図１９】本発明に従うセキュアードアイテム又はセキュリティ要素の他の例を表す図である。
【図２０】本発明に従うセキュアードアイテム又はセキュリティ要素の他の例を表す図である。
【図２１】本発明に従うセキュアードアイテム又はセキュリティ要素の他の例を表す図である。
【図２２】本発明に従うセキュアードアイテム又はセキュリティ要素の他の例を表す図である。
【発明を実施するための最良の形態】
【００９８】
模式図において、様々な層の実際の相対的比率は、図面の明瞭さのために、必ずしも考慮されていない。幾つかの層は、簡潔さのために一体で表されうるのに対し、例えば、多層複合体から構成されうるホログラフィック層の場合のように、現実では、複数のサブ層から構成されうる。加えて、幾つかの層は、層間に配置された接着層を用いて結合されてもよく、接着層は、図面において常に表されているとは限らない。最後に、並置された不透明及び非不透明領域の存在において、この存在は、並んで配置されるほんの２つの領域により単に模式的に表されるが、現実では、これらの様々な領域は、ほとんどの場合、例えば、テキスト若しくはマイクロテキスト又はラスター画像を定義するために複雑となり得る配置により、２つを超えることが理解される。
【００９９】
図１に表されるセキュアードアイテム１０、例えば紙幣、は、例えば紙、例えば繊維質、の基体１１を備えており、例えば基体１１又は複数の構造の場合はその１つの層を切り取ることによって生成された窓１２が設けられ、この窓１２は、一方側では、図２に示されるように、本発明に従うセキュリティ要素２０によって覆われ、且つ他方側では、シールフィルム３０により覆われ、それは要素２０に相対的に登録されて配置されうる。例えば、シールフィルム３０は、半反射フィルムでありうる。有利には、透過光内の可視性を維持しながら、上記半反射層は、層の反射外観により上記ボリュームホログラムを拡張する為に使用される。加えて、この半反射層は、上記セキュリティ要素が窓（「窓スレッド」）に導入される際に、上記セキュリティ要素をマスクする役割を果たし得、それは、色が上記セキュリティ要素に重畳される際に、特に有用である。最後に、透視窓に配置されたセキュリティ要素の場合、上記半反射層は、該層が配置される面での反射において上記セキュリティ要素をマスクする。
【０１００】
本発明は、特にセキュアードアイテムの１種類に限定されず、該セキュアードアイテムはまた、例えば、識別文書、例えば識別カード、又はアクセスカードでありうる。従って基体１１は、非繊維質でありうる。
【０１０１】
窓１２は、任意の形状の外形、例えば円形、楕円形又は多角形、特に正多角形又は不規則な多角形、を有しうる。
【０１０２】
窓１２は、文書内で１つのみでもよく、又は該文書は、幾つかの窓１２を備えうる。この場合、上記窓は、文書の同じ面又は反対側の面に配置されうる。好ましくは、上記窓は、上記文書の反対側の面に配置され、従って、上記文書の一方の面における少なくとも１つの窓が、他方の面における１つの窓と少なくとも部分的に重畳されて、共に透視窓を形成する。
【０１０３】
セキュリティ要素２０は、まさにシールフィルム３０のように、文書の一方側１３から反対側１４に延びるストリップの形態でありうる。
【０１０４】
シールフィルム３０の幅及びセキュリティ要素２０の幅はそれぞれ、好ましくは、窓１２の幅よりも大きく、従って、セキュリティ要素２０は、すべての側でシールフィルム３０のように、窓１２を越えて延びる。
【０１０５】
基体１１は、例えば１０〜１０００μｍ、望ましくは５０〜７００μｍ、の厚さｅを有する。
【０１０６】
基体１１は、天然及び／又は合成繊維を備えうる。該基体はまた、非繊維質であるか、又は少なくとも１つの繊維質層と熱可塑性材料の１つの層とを備えている多層構造で形成されうる。
【０１０７】
要素２０は、ホット又はコールド・ラミネーション及び／又は接着により、基体１１に取り付けられうる。
【０１０８】
同じことが、保護フィルム３０にあてはまる。
【０１０９】
図３において、セキュリティ要素２０は、基体１１内の１又は複数の窓に組み込まれたスレッドの形態にある。
【０１１０】
上記スレッドは、例えば、シリンダーマシーン(cylinder machine)での繊維質基体１１の形成の間に組み込まれ、該窓は、例えば形成する布地にて繊維の集積を変更することによって形成される。変形例として、基体１１は２層であり、及び、上記スレッドは層間に導入され、それらのうちの少なくとも１つは窓を有し、該層は、例えばウェットフェーズで結合される。
【０１１１】
図４の例において、文書１０は、共に結合された２つの繊維質層１１ａ及び１１ｂで形成される基体１１を備えている。セキュリティ要素２０は、層１１ａと１１ｂとの間に配置される。
【０１１２】
層１１ａは窓１２ａを、層１１ｂは窓１２ｂを備えており、窓１２ｂは、少なくとも部分的に窓１２ａと重畳され、従って、要素２０は、透過光内の窓１２ａ及び１２ｂを通して観察されうる。
【０１１３】
セキュリティ要素２０がセキュリティスレッドである場合、その幅は、相対的に小さくてもよく、好ましくは１０ｍｍ以下でありうる。
【０１１４】
セキュリティ要素２０はまた、２つの紙の層の間に挿入されるか、又は基体の表面に接着されるパッチでありうる。該パッチは、基体１１の全幅にわたって延びない。
【０１１５】
セキュリティ要素２０は、文書１０の基体１１の各側に配置された複数の構成要素から構成されうる。
【０１１６】
結果的に、図５の例において、セキュリティ要素２０は、基体１１の一方側に配置された可変不透明度構造２５と、反対側に配置されたホログラフィック層２１とを備えている。少なくとも１つの窓１２は、可変不透明度構造２５と、ホログラフィック層２１により生成されるボリュームホログラムとの重畳を通して観察することを可能とする。この窓１２は、任意的に、透明のソリッド材料で満たされる。
【０１１７】
一般に、セキュリティ要素２０は、非繊維質基体、例えば軟質又は硬質の熱可塑性材料製のフィルム、に加えられうる。セキュリティ要素２０はまた、少なくとも１つの紙製の繊維質層と、熱可塑性材料製の層とを備えている多層構造に組み込まれうる。
【０１１８】
セキュリティ要素２０はまた、透明の熱可塑性材料の２つのシートの間に組み込まれうる。
【０１１９】
アイテム１０は、様々な第１レベル、第２又は第３レベルの補助的なセキュリティ要素を備えうる。追加的なセキュリティ要素のうち、幾つかは、特殊な装置を用いることなく、日光又は人工の光の下で、目で見ることが可能である。これらのセキュリティ要素は、例えば、着色繊維又はプランセット、印刷されるか、又は全体若しくは一部が金属化されたスレッド、を含む。これらのセキュリティ要素は、第１レベルと呼ばれる。
【０１２０】
他の種類の追加のセキュリティ要素は、比較的簡素な装置、例えば紫外線（ＵＶ）又は赤外線（ＩＲ）放射を発するランプ、を用いることによってのみ見ることができる。これらのセキュリティ要素は、例えば、繊維、プランセット（planchettes）、ストリップ、スレッド又は粒子を含む。これらのセキュリティ要素は、裸眼に対して可視であってもなくてもよく、例えば、３６５ｎｍの波長を発するウッドランプの光の下で発光する。これらのセキュリティ要素は、第２レベルと呼ばれる。
【０１２１】
他の種類の追加のセキュリティ要素は、それらの検出のために、より洗練された検出装置を必要とする。これらのセキュリティ要素は、例えば、１つ又は複数の外部励起源に対して同時に又は同時でなしに付された際に、特定の信号を生成することが可能である。信号の自動検出は、適切な場合に、上記文書が本物であると証明することを可能とする。これらのセキュリティ要素は、例えば、アクティブ材料、粒子又は繊維の形態のトレーサーを備えており、これらのトレーサーが、オプトロニック、電気的、磁気的又は電磁的な励起に付される際に、特定の信号を生成することが可能である。これらのセキュリティ要素は、第３レベルと呼ばれる。
【０１２２】
図２、図３及び図４において、セキュリティ要素２０は、簡素な形態で表されている。特に、セキュリティ要素が備えているホログラフィック層２１は、多層複合体から構成されうる。
【０１２３】
これより、本発明に従うセキュリティ要素２０の異なる例の図６〜２２を参照して説明が行われる。
【０１２４】
これら全ての図面において、参照番号２１は、ボリュームホログラムが記録されているホログラフィック層を示す。このホログラムは、反射型又は透過型で記録されうる。この層は、ホログラムとして無地の色のみを再現してもよく、すなわち、例えば反射型で記録されたホログラムの場合に可視光内の反射において観察される場合に、上記層の全体が同色、例えば緑、赤、黄、オレンジ、紫又は青、で現れる。
【０１２５】
一般に、ホログラフィック層２１が無地の色を再現しない場合、異なる色の領域の分布は、英数字テキスト、ロゴ、又はより複雑な画像、例えば文字、動物、地形又は建物、を定義しうる。
【０１２６】
ホログラフィック層２１により再現される色の数は、白光Ｄ６５の照明における観察下で、１に等しいか、変形例として１超でありうる。
【０１２７】
少なくとも２つの色のホログラフィック層２１による再現の間に、該色のうちの一方は、テキスト又はドットのラスターを定義してもよく、且つ他方の色は、このテキスト又はこれらドットの周りの無地の（plain）背景を定義しうる。
【０１２８】
セキュリティ要素２０はまた、特に図６に示されるように、例えば、透明の熱可塑性材料、例えばＰＥＴ、製のフィルムであるバッキング層２２を備えうる。代替的に、バッキング層２２は、繊維質材料、例えば紙、から構成されうる。
【０１２９】
ホログラフィック層２１の厚さは、特に保持体フィルム上に接着された感光性樹脂複合体から構成される場合、例えば１〜２０μｍである。
【０１３０】
バッキング層２２の厚さは、例えば３〜１００μｍである。
【０１３１】
バッキング層２２は、任意的に、ホログラフィック層２１の反対側に配置される側に、１つ又は複数の他の層を保持しうる。
【０１３２】
図６の例において、ホログラフィック層２１は、接着層２３を介してバッキング層２２に取り付けられる。同じことが、図８の例においても当てはまる。
【０１３３】
接着層２３の厚さは、例えば１〜１０μｍ、好ましくは１〜５μｍである。
【０１３４】
用いられる接着剤は、例えば、ポリウレタン系又はウレタン−アクリレートコポリマー系の接着剤、ＮＯＬＡＸ範囲にあるそれら、である。
【０１３５】
本発明の第１の観点に従うと、セキュリティ要素２０はまた、例えば単一の層の形態にある、可変不透明度構造２５を備えており、それは、範囲がＳｒの少なくとも１つの重畳領域において、ホログラフィック層２１に少なくとも部分的に重畳されている。
【０１３６】
層２１及び２５は、重畳領域と同様の範囲であってもよく、それは、特に図６及び図８に示されるように好ましい。
【０１３７】
しかしながら、変形例として、上記重畳領域は、層２１及び２５の、それらの範囲の一部分のみの重複により形成され、ホログラフィック層２１は、例えば、層２５よりも幅が小さいか、又はその逆である。好ましくは、ホログラフィック層２１がＳｈの範囲を占めた状態で、Ｓｒ／Ｓｈ≧０．５、望ましくはＳｒ／Ｓｈ≧０．７５である。
【０１３８】
文書１０の定位置にあるセキュリティ要素２０が観察される際に、全重複領域を、可視としてもよく、又は変形例として、後者、重複領域の一部分のみが、例えば基体１１によって部分的に隠される。
【０１３９】
バッキング層２２は、基体１１の対応する面の全て又は一部を覆いうる。
【０１４０】
図１及び図２において、バッキング層２２は、基体１１の面１３の一部分だけを占める。変形例として、バッキング層２２は、面１３の全体用の保護フィルムを形成する。ホログラフィック層２１は、例えば、窓１２の領域においてのみ延びるか、又は、窓１２と、基体１１との両方にわたって延びる。これは、窓を通して可視のものと、窓の外にあるものとの間で、ホログラムの再現の間にコントラストの観察を可能にすることにより、追加の効果を生成することを許す。ホログラフィック層２１は、バッキング２２の面１３の合計範囲の５〜１００％を覆いうる。
【０１４１】
一般に、ホログラフィック層２１は、文書１０にわたって連続的に延びてもよく、すなわち、ホログラフィック層２１により形成される２つの未接続の領域はない。変形例として、ホログラフィック層２１は、文書１０にわたって不連続に延びる。例えば、ホログラフィック層２１の複数部分が、バッキング層にわたって規則的な間隔で反復され、これらの部分が未接続である。これらの部分は、同色又は別個の色を再現しうる。これらの部分は、同じ観察の角度又は異なる角度についてホログラムを再現しうる。
【０１４２】
一般に、可変不透明度構造２５は、その面内に可変不透明度を有しうる。
【０１４３】
例えば、可変不透明度構造は、１つ又は複数の不透明度領域２５ａと１つ又は複数の非不透明領域２５ｂとを有する層２５によって形成され、または、領域２５ａは、例えば、金属化及び／又は印刷の存在に、及び／又は、少なくとも部分的には不透明、特に繊維質の開口された層、の存在に対応し、且つ領域２５ｂは、脱金属化の存在及び／又は印刷の不存在に、及び／又は開口された層内の切抜き又は半透明領域に対応する。従って、非不透明領域は、不透明繊維質基体を通した切抜きによる以外のやり方で形成しうる。
【０１４４】
パターンは、不透明及び／又は非不透明領域によって形成されうる。これらのパターンは、例えば、英数字及び／又はロゴ及び／又は他の何らかの形象的マークである。それは、銀行の名前、国及び／又は紙幣の価値に関する情報を提供するテキストでありうる。
【０１４５】
非不透明領域２５ｂが、少なくとも部分的に不透明の層、特に繊維質層、において、切抜きにより形成される場合、これらの切抜きは、それぞれ例えば０．５〜１０−９ｃｍ２を占める微小穿孔（microperforations）から構成されうる。
【０１４６】
図９の例において、可変不透明度構造２５は、微小穿孔２５ｂを備えている開口層の形態である。該開口層は、例えば、紙の層であり、微小穿孔２５ｂは、例えば、該紙の層を通してレーザーを用いて作製される。
【０１４７】
一般に、透過光内で観察することにより現れる情報、可変不透明度構造２５により定義される１又は複数のパターンは、特にこの情報が紙幣の場合の紙幣の価値に関する場合、セキュアード文書のその他の位置で見出されうる。
【０１４８】
上記パターンは、裸眼に対して観察可能とするか、又は観察可能とするために拡大装置の使用を要求するものでありうる。
【０１４９】
観察は、好ましくは白光内で行われ、上記ホログラムは、好ましくは、この照明下で再現される。変形例として、観察は、特にホログラフィック層２１がこのために設けられる場合、ＵＶ又はＩＲ光の下で行われる。
【０１５０】
可変不透明度構造２５内にて、脱金属化により形成されるパターン、特に文字、の最大寸法は、例えば、２ｍｍ以下であり、金属化又は印刷により形成されるパターンの最大寸法はまた、２ｍｍ以下でありうる。金属化／脱金属化により生成されるパターンは、透過光内において画像を再現するドットの形態で、国際公開第２００６／０６６９２７号の出願の教示に従い生成されうる。
【０１５１】
一般に、金属化層から生成される可変不透明度構造２５の場合、この層は、構成要素サブ層として、例えばＰＥＴ製のバッキングフィルムと、このフィルムの一方側又は２つの反対側に、このフィルム上の１つ又は複数の金属の堆積物と、を備えうる。金属の厚さは、不透明領域において求められた不透明度に依存する。アルミニウム、銅、金、鉄、銀、クロム、ニッケル、亜鉛、カドミウム、ビスマス、及びそれらの合金並びに酸化物が、金属化／脱金属化により可変不透明度構造２５を生成するために使用されることが出来る金属として挙げられうる。
【０１５２】
可変不透明度構造２５は、例えば物体、文字、建物又は地形の画像を定義するラスタードットを備えうる。
【０１５３】
可変不透明度構造２５がラスター画像を定義する場合、上記ホログラムが、画像の知覚を容易にする着色背景、例えば画像を背面から照らすように見える緑色の背景、を形成する無地の色も再現し、従ってラスター画像が反射において可視であることは有利でありうる。
【０１５４】
可変不透明度構造２５は、特に図６に示されるように、少なくとも部分的に半透明の接着層２６を介して、ホログラフィック層２１に固定的に取り付けされうる。
【０１５５】
接着層２６は、保護層、例えばワニス、により置き換えてもよく、それはホログラフィック層２１に堆積され、且つそれは不透明領域２５ａのためのバッキングとしての役割を果たし、次に、それらは例えば印刷により形成される。接着層２３及び２６の性質は同じでありうる。
【０１５６】
図１０の例において、可変不透明度層２５は、ホログラフィック層２１と、バッキング層２２との間に置かれる。
【０１５７】
例えば、バッキング層２２は、印刷又は金属化を受けて、可変不透明度構造２５を形成し、ホログラフィック層２１は、好ましくは自己支持型の多層複合体として、この層２５に堆積される。ホログラフィック層２１は、任意的に追加のセキュリティ対策を保持する、透明の保護フィルム２７で覆われうる。
【０１５８】
保護フィルム２７は、熱可塑性材料、例えばポリエチレン、ポリプロピレン及び他のポリオレフィン、ＰＴＦＥ、ＰＶＤＦ、ＥＶＡ、ＰＶＡ（ポリビニルアルコール）、ＰＭＭＡ、ＰＳ（ポリエーテルスルホン）、ＰＥＫ（ポリエーテルケトン）、ＰＡ、テトラフルオロエチレン−過フルオロアルキルビニルエーテルコポリマー）、ＰＥＴ及びポリアミド、の透明フィルムから構成されうる。該フィルムの厚さは、好ましくは、２〜２００μｍ、望ましくは１０〜５０μｍ、の範囲である。
【０１５９】
図８の例は、ホログラフィック層２１をバッキング層２２に取り付けるための着色接着剤の層２３の使用を除いて、図６の構造を描いている。これは、特にセキュリティ要素２０が透過又は反射において観察される際に、セキュリティ要素２０の外観を修正することを可能にする。接着層２３の色は、他の２つの色からの添加物合成により第３の色を生成するために、例えば緑（ホログラム）及び赤（着色接着剤）から黄色を生成するために、ホログラフィック層２１により再現されるホログラムの色に従って選択されうる。１つの変形例において、接着層は無色であるが、バッキング層２２と、ホログラフィック層２１との間に、追加の着色フィルムが挿入される。
【０１６０】
さらなる変形例として、着色印刷が、バッキング層２２又はホログラフィック層２１に堆積される。
【０１６１】
図７の例において、ホログラフィック層は領域２１ａ及び２１ｂを有し、それらは、これらの領域２１ａ及び２１ｂの着色層２３との重畳及び上記可変不透明度層の存在の事実により、異なる色で現れうる。これら領域２１ａ及び２１ｂは、観察者に対して、観察の同じ角度又は異なる角度について現れうる。
【０１６２】
ホログラフィック層２１の所与の色で現れる領域２１ａ及び２１ｂは、可変不透明度構造２５の所与の不透明度の領域と、正確に重畳してもよく、図７の例においては、これは、着色層２３との重畳により異なる色を表すために、不透明領域２５ａに正確に重畳される領域２１ａの場合であり、かつ非不透明領域２５ｂに正確に重畳される領域２１ｂの場合である。
【０１６３】
着色層は、可変不透明度層２５とバッキング層２２との間に介在されてもよく、この着色層は、例えば、図７に示されるように、着色接着層２３である。他の非着色接着層２６は、ホログラフィック層２１の可変不透明度構造２５への取り付けを確実にしうる。
【０１６４】
変形例において、バッキング層２２は、ホログラフィック層２１と可変不透明度構造２５との間に配置される。
【０１６５】
例えば、図１１に示されるように、一方の面のバッキング層２２は、脱金属化された非不透明領域２５ｂを有する金属化を含む可変不透明度構造２５を保持し、及び、ホログラフィック層２１が、他方の面に加えられる。この実施態様は、セキュリティ要素２０が文書窓に組み込まれる場合に特に適する。
【０１６６】
図１２の例において、セキュリティ要素２０は、観察者に相対的にホログラフィック層２１の下で配置された拡散構造９０を備えている。拡散構造９０は、好ましくは、マイクロエンボス加工されており、且つ例えば、マイクロエンボス加工された接着剤の層２３から構成され、且つ光を拡散して、観察角度又はパターンの記録角度に対するボリュームホログラムの可視性の依存性をより小さくすることを可能にする。これは有利である。加えて、これは、ホログラムの可視性の角度が、特にホログラムが反射性、例えば金属化されている場合に、可変不透明度構造２５における光の鏡面反射（日光又は人工点光源の光）に対応する角度と一致するリスクも減少させ、それは反射におけるホログラム及び可変不透明度構造２５の観察を容易にする。好ましくは、図示されているように、可変不透明度構造２５は、拡散構造９０の反対側に配置される。この図１２において、例えばホログラフィック層２１と拡散構造９０との間に無いか又は位置し得るバッキング層２２は、示されていない。
【０１６７】
他の変形例において、バッキング層２２は、ホログラフィック２１及び可変不透明度２５層の反対側に、１つ又は複数の追加のセキュリティ対策、例えば発光インク、レンチキュラー（lenticular）ネットワーク、他のボリュームホログラム又は表面ホログラム、ラスター、半透明金属の堆積物、等による印刷、を保持する。特に、セキュリティ要素２０は、上記ボリュームホログラムの色を変える前及び後ろに、発光剤の組み合わせを有しうる。
【０１６８】
例えば、図１３に示されるように、バッキング層２２に対するホログラフィック層２１の取り付けを確実にする接着層２３に含まれる第１の発光剤９５と、発光剤９５を含む層２３に重畳された層９７に含まれる第２の発光剤９６とがある。発光剤９５及び９６は、例えば、顔料又は染料、好ましくは染料、である。層９７は、例えばワニスである。発光剤９５及び９６の発光色は、好ましくは異なる。好ましくは、上記発光剤は、蛍光性である。
【０１６９】
この例において、特に、観察下で可視領域の色、及びＵＶ又はＩＲ観察下でもう１つの色を再現するホログラフィック層がありうる。好ましくは、この場合、励起は、透過により見るための観察者の側とは反対側にある。
【０１７０】
図１４の例において、半反射フィルム４０が、バッキング層２２の一方側において、ホログラフィック層２１を覆う。他方で、バッキング層２２は、可変不透明度構造２５を保持する。
【０１７１】
図１５の例において、半反射フィルム４０が、セキュリティ要素２０に存在し、可変不透明度構造２５及びホログラフィック層２１に重畳されている。ホログラフィック層２１は、反射型又は透過型で記録されたホログラムを再現しうる。半反射フィルム４０は、可変不透明度構造２５の反対側のホログラフィック層２１の側に位置する。
【０１７２】
フィルム４０は、その半反射特性、それ故に完全には不透明でないことから、要素２０を透過光にて観察した場合に、可変不透明度構造２５により定義された１又は複数のパターンを観察することを可能にする。
【０１７３】
図１５の例において、半反射フィルム４０は、ホログラム２１の反対側のバッキング層２２の面に存在する。これは、例えば、薄い金属堆積物でありうる。
【０１７４】
図１６に示される変形例において、半反射フィルム４０は、バッキング層２２の、ホログラム２１及び可変不透明度構造２５と同じ側に位置する透明フィルム４１によって保持される。
【０１７５】
図１７の例において、セキュリティ要素２０は、ホログラフィック層２１及び半反射層４０の反対側にて、基体１１に配置される可変不透明度構造２５を備えている。
【０１７６】
図１８において、文書１０の基体１１の窓１２のおかげで、透過光において観察されるセキュリティ要素２０が表されている。
【０１７７】
セキュリティ要素２０は、好ましくは金属化／脱金属化により形成されている、可変不透明度構造２５ｃにより覆われたホログラフィック層２１ｃを備えている。
【０１７８】
ホログラム２１ｃ及び可変不透明度構造２５ｃは、基体１１の一方側に配置される。
【０１７９】
要素２０は、基体１１の他方側で、好ましくは金属化／脱金属化により形成された可変不透明度構造２５ｄに重畳された、もう１つのホログラフィック層２１ｄを備えている。
【０１８０】
可変不透明度構造２５ｃの不透明領域２５ａは、可変不透明度構造２５ｄの不透明領域２５ａに正確に重畳してもよく、同じことが、可変不透明度構造２５ｃ及び２５ｄの非不透明領域２５ｂにも当てはめられうる。変形例として、不透明領域２５ａは、非不透明領域２５ｂのように正確に重畳されない。例えば、可変不透明度構造２５ｃの不透明２５ａ及び非不透明２５ｂ領域は、他方の可変不透明度構造２５ｄの領域２５ａ及び２５ｂにより定義されるより大きな寸法のパターンの内側のマイクロパターン、例えばより大きな寸法の文字の内側のマイクロテキスト、を定義しうる。逆に、マイクロパターンは、可変不透明度構造２５ｄの領域２５ａ及び２５ｂにより定義される。
【０１８１】
ホログラフィック層２１ｃにより再現されるホログラムは、透過型で記録されるホログラムであってもよく、ホログラフィック層２１ｄにより再現されるホログラムは、反射型で記録されるホログラムでありうる。
【０１８２】
図１９の例において、ホログラフィック層２１ｃ及び２１ｄは、これらの各側に位置する、透明のバッキング層２２によって保持される。ホログラフィック層２１ｃ及び２１ｄは、それぞれの可変不透明度構造２５ｃ及び２５ｄにより覆われる。図１８の例に関して記載される特徴は、図１９の例についても有効である。
【０１８３】
ホログラフィック層２１は、例えばセキュリティ要素２０が白光照明下で反射において観察される場合、異なる色の少なくとも２つの領域２１ａ及び２１ｂを表すホログラムを再現するために記録されうる。
【０１８４】
セキュリティ要素２０が図２０に表されており、可変不透明度層がボリュームホログラム２１を覆う配向されたプレートレット顔料により形成される。
【０１８５】
顔料６０は、互いに実質的に平行して配向され、且つボリュームホログラム２１の面に平行ではなく、従って、観察の特定方向に関して、顔料６０の配向方向に実質的に平行に、可変不透明度層２５を通してボリュームホログラムを見ることが可能である。顔料６０は、例えば国際公開第２０１２／１７６１６９号に記載されたものでありうる。
【０１８６】
図２１において、セキュリティ要素２０は、本発明の他の観点に従って表されており、それは、ホログラフィック層２１に重畳された半反射フィルム４０を備えている。基体１１に作られた窓１２は、透過光においてセキュリティ要素２０を観察することを可能にする。本発明のこの他の観点に従うと、前述の例の可変不透明度構造２５は不存在である。
【０１８７】
セキュリティ要素２０は、例えば、異なる色の２つの領域、又は１つ又は複数の着色領域と１つ又は複数の非着色領域とを有する、可変色度層を備えうる。該着色領域は、例えば、印刷により着色される。
【０１８８】
この可変色度層の１又は複数の着色領域は、ホログラフィック層２１の異なる領域２１ａ及び２１ｂの配置に相対的に登録して配置されうる。
【０１８９】
例えば、図２２に示されるように、ホログラフィック層の所与の色の１つの領域２１ａが、領域２１ｂ及び２８ｂと同様に、可変色度層２８の所与の色の領域２８ａと正確に重畳されている。
【０１９０】
この図はまた、本発明の他の観点に従うと、他の実施例の可変不透明度構造２５が不在でありうる、という事実を示す。
【０１９１】
本発明は、示された実施例に限定されない。
【０１９２】
従って、図１２における実施例の拡散構造９０を、図示された他の実施例に、特に可変不透明度構造２５の反対側に加えられうる。同じことが、半反射層４０にあてはまる。
【０１９３】
より一般的には、示された実施例の特徴は、示されない変形例内に組み合わされうる。
【０１９４】
表現「１つを備えている」は、他に特定されない限り、「少なくとも１つを備えている」と同義である。
【図１】
0006450368.tif 000002
【図２】
0006450368.tif 000003
【図３】
0006450368.tif 000004
【図４】
0006450368.tif 000005
【図５】
0006450368.tif 000006
【図６】
0006450368.tif 000007
【図７】
0006450368.tif 000008
【図８】
0006450368.tif 000009
【図９】
0006450368.tif 000010
【図１０】
0006450368.tif 000011
【図１１】
0006450368.tif 000012
【図１２】
0006450368.tif 000013
【図１３】
0006450368.tif 000014
【図１４】
0006450368.tif 000015
【図１５】
0006450368.tif 000016
【図１６】
0006450368.tif 000017
【図１７】
0006450368.tif 000018
【図１８】
0006450368.tif 000019
【図１９】
0006450368.tif 000020
【図２０】
0006450368.tif 000021
【図２１】
0006450368.tif 000022
【図２２】
0006450368.tif 000023